(57)【要約】      （修正有）【課題】品物の収納が容易で、しかも品物を取出した再に、容易にコンパクトに折り畳むことができ、かつ、しわにならずに、見栄えもよく快適に使用できるバッグの提供。【解決手段】本布、紙、ビニールなどの柔軟性を有するシートに、少なくとも1つ以上の山折り部１０２と谷折り部１０３の折り目をアコーディオン状に縦方向に設けて筒状にし、前記各山折り部と谷折り部の折り目を左右に振り分けて畳み、上部を開口部１０４とすると共に、前記各山折り部と谷折り部を重ね合わせて畳み込んだ状態で下部を縫い合わせて底部１０７とする。前記開口部側の前記各山折り部と各谷折り部のそれぞれの中間に紐通し穴１０８を設けて紐１０９を通し、前記紐と前記底部を引っ張り合うことで、容易にコンパクトに、しわにならないように畳むことを可能とする。【選択図】図２
2015058343.tif 000002
【特許請求の範囲】
【請求項１】
布、紙、ビニールなどの柔軟性を有するシートに、縦方向に少なくとも１つ以上の山折り
部と谷折り部の折り目をアコーディオン状に設け、布、紙、ビニールなどの柔軟性を有す
るシートの両端を縫い合わせ筒状とし、山折り部と谷折り部を振り分けて畳み、上部を開
口部とし、下部は山折り部と谷折り部を重ね合わせて畳んだ状態で縫い合わせて底部を構成し、開口部の各山折り部と各谷折り部の中間に紐通し穴を設け、紐を通して構成したことを特徴とするショッピングバッグ。
【請求項２】
底部にリングを付けことを特徴とする請求項１記載のショッピングバッグ。
【発明の詳細な説明】
【技術分野】
【０００１】
本発明はバックの側面をアコーディオン式に折り畳むことによって、簡単に手早く平らに、畳みやすい形状とすることを、特徴としたショッピングバッグに関するものである。
【背景技術】
【０００２】
従来の手提げ袋やバッグはコンパクトに収納するためのファスナーが付いたポケットなどを有するものがあるが、ポケットへの収納がし難く、また、取り出したとき、バッグがしわになるなどの課題があった。
【先行技術文献】
【特許文献】
【０００３】
【特許文献１】特開平１１−０１８８１５
【特許文献２】特開２００９−７３５５２
【特許文献３】実公昭６２−１３１６１３
【発明の概要】
【発明が解決しようとする課題】
【０００４】
本発明は、上記のような従来の課題に鑑み、容易にコンパクトになるように構成され、かつ、しわにならずに、見栄えもよく、快適に使用できるバッグを提供することを目的としている。
【課題を解決するための手段】
【０００５】
上記の目的を達成するために、布、紙、ビニールなどの柔軟性を有するシートに、少なくとも１つ以上の山折り部と谷折り部の折り目を縦方向にアコーディオン状に設けることで、物がたくさん入り、取り出した後は、両脇、または、開口部の紐と底部を引っ張り合うことで、畳みやすい形状に構成しているので、容易にコンパクトにすることができ、しわになりにくいことを特徴としている。
【０００６】
請求項１記載の発明は、布、紙、ビニールなどの柔軟性を有するシートに、縦方向に少な
くとも1つ以上の山折り部と谷折り部の折り目をアコーディオン状に設け、布、紙、ビニ
ールなどの柔軟性を有するシートの両端を縫い合わせ筒状とし、山折り部と谷折り部の折
り目を左右に振り分けて畳み、上部を開口部とし、山折り部と谷折り部を重ね合わせて畳んだ状態で下部を縫い合わせて底部を構成し、開口部側の各山折り部と各谷折り部の中間に紐通し穴を設け、紐を通して構成したことを、特徴とする縦用ショッピングバッグである。
【０００７】
請求項２記載の発明は、底部にリングを付け、開口部側の各山折り部と各谷折り部の中間に通した紐をリングに取り付け、リュックとして使用できるようにしたショッピングバッグである。
【０００８】
バッグの目的はさまざまなので、大、中、小の袋の大きさも必要であり、また、重いもの
を入れることもあり、紐には配慮が必要である。
【０００９】
前記の説明では布、紙、ビニールなどの柔軟性を有するシートで説明したが、時代に応じ
て適した素材が開発されればそれを利用させていただき、布は当然のこと、ビニール、紙、繊維入りビニール、などの材料を使用してもよいのは言うまでもない。
【００１０】
前記説明の、山折り部と谷折り部の折り目をアコーディオン状に設け、山折り部は表地側
より谷折り部は裏地側より端縫いすることで折り目を付けたり、あるいは永久折り目加工
を施すことにより、見栄え良く取扱い易くすることができる。
【００１１】
コンパクトにするために、ショッピングバッグの底部近辺とか両端のいずれかに収納ポケ
ットを取り付けたり、収納ポケットの代わりに細幅の紐にスナップボタンを取り付けバッ
グをくるくる丸めて止め、コンパクトにすることもできる。
【発明の効果】
【００１２】
本発明は、以上説明したように構成されているので、何より簡単に、容易にコンパクトに
することができ、しわにならずに、見栄えもよく、快適に使用できるという利点がある。
【００１３】
従って現代の必需品である捨てるにはもったいない高級な袋物、高級な紙袋、レジ袋に至
るまで、本発明品を適用すれば一層の再利用が可能となり、環境問題のゴミ減量の一助と
なる。
【００１４】
さらに、本発明のショッピングバッグは紐の長さを調整したり、底部にリングを付けるこ
とでショルダーバッグやリュックにすることもできる。また、布地を藍染にすることによ
り高級感のあるショッピングバッグとなり、高級な藍染が年齢を問わず、身近に感じられ
藍染の普及に貢献できる。
【発明を実施するための形態】
【００１５】
本発明にかかる実施例の形態について図面に基づいて説明する。
まず、請求項１記載のショッピングバッグについて１例を説明する。
図１の平面図で示すように、まず、布、紙、ビニールなどの柔軟性を有するシートの上部１０４を必要に応じて芯を入れ見返し１０５を縫い、開口部１０４とする。次に布、紙、
ビニールなどの柔軟性を有するシート１０１に縦方向に少なくとも1つ以上の山折り部１０２と谷折り部１０３の折り目をアコーディオン状に設け、山折り部１０２は表地側より
端縫い１０２Aし、谷折り部１０３は裏地側より端縫い１０３Aする。布、紙、ビニールな
どの柔軟性を有するシートの両端１０６を縦方向に縫い合わせ筒状とする。
図２の斜視図で示すように、山折り部１０２と谷折り部１０３を左右に振り分けて畳み、
底部１０７をしつけで止める、コンパクトに収納するためのポケット１１０を底部１０７
に縫い付けつけ、別布で底部１０７をくるみ、縫い合わせ、底部１０７を構成する。開口
部１０４側の各山折り部１０２と各谷折り部１０３の中間に紐通し穴１０８を設け、紐通
し穴１０８を金具で補強し紐１０９を通し結ぶ。
図３の斜視図は物を入れ使用される状態であり、物を取り出した後は開口部１０４の紐１０９と底部１０７を引っ張り合うことで、図２の斜視図で示す畳みやすい形状とすること
ができる。
【００１６】
請求項２記載のショッピングバッグについて１例を説明する。
図４の斜視図はショッピングバッグの底部１０７に、リング１１１を設けることで、リュ
ックとした状態を示す。リング１１１は底部１０７の左右に夫々１個づつ取り付けて紐１０９を下部で２つに別れるようにしても良い。
図５の斜視図はショッピングバッグをくるくる折り畳みポケット１１０に収納しコンパク
トに収納した状態を示す。
【図面の簡単な説明】
【００１７】
【図１】折り目を縦方向に設けたシートの平面図
【図２】本発明のバッグをアコーディオン状に畳んだ斜視図
【図３】本発明のバッグに物を入れた斜視図
【図４】本発明のバッグをリュック状にした斜視図
【図５】本発明のバッグをコンパクトにした斜視図
【符号の説明】
【００１８】
１００    バッグ
１０１    布、紙、ビニールなどの柔軟性を有するシート
１０２    山折り部
１０２Ａ  山折り部の表地側よりの端縫い
１０３    谷折り部
１０３Ａ  谷折り部の裏地側よりの端縫い  
１０４    開口部となる布の端
１０５    見返し  
１０６    筒状とする布の端
１０７    底部
１０８    紐通し穴
１０９    紐
１１０    収納ポケット
１１１    リング
【図１】
2015058343.tif 000003
【図２】
2015058343.tif 000004
【図３】
2015058343.tif 000005
【図４】
2015058343.tif 000006
【図５】
2015058343.tif 000007
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
布、紙、ビニールなどの柔軟性を有するシートに、
縦方向に少なくとも１つ以上の山折り部と谷折り部の折り目をアコーディオン状に設け、
布、紙、ビニールなどの柔軟性を有するシートの両端を縫い合わせ筒状とし、山折り部と谷折り部を振り分けて畳み、上部を開口部とし、
下部は山折り部と谷折り部を重ね合わせて畳んだ状態で縫い合わせて底部を構
成し、
開口部側の各山折り部と各谷折り部の中間に紐通し穴を設け、紐を通して構成した
ことを特徴とするショッピングバッグ。
【手続補正２】
【補正対象書類名】明細書
【補正対象項目名】０００７
【補正方法】変更
【補正の内容】
【０００７】
他の発明は、底部にリングを付け、開口部側の各山折り部と各谷折り部の中間に通した紐をリングに取り付け、リュックとして使用できるようにしたショッピングバッグである。
【手続補正３】
【補正対象書類名】明細書
【補正対象項目名】００１６
【補正方法】変更
【補正の内容】
【００１６】
他の発明のショッピングバッグについて１例を説明する。
図４の斜視図はショッピングバッグの底部１０７に、リング１１１を設けることで、リュックとした状態を示す。リング１１１は底部１０７の左右に夫々１個ずつ取り付けて紐１０９を下部で２つに別れるようにしても良い。
図５の斜視図はショッピングバッグをくるくる折り畳みポケット１１０に収納しコンパクトに収納した状態を示す。